(57)【要約】【課題】極めて安価に提供することができ、コンクリート型枠を通して内部に光を透過させることができる透過光具を備えたコンクリート型枠を提供する。【解決手段】コンクリートを打設する際に使用する型枠１を構成する。該型枠１に、型枠１の板面を貫通する貫通孔２を複数個形成する。貫通孔２は、係止凹部２Ａと貫通部２Ｂとで構成される。透明な材質にて形成された透過光具３を貫通孔２に嵌合する。透過光具３は貫通孔２の係止凹部２Ａ側から差し込み嵌合する。透過光具３は、透明な合成樹脂材又はガラス材にて形成される。【選択図】  図２
0003179875.tif 000002
【実用新案登録請求の範囲】
【請求項１】
コンクリートを打設する際に使用する型枠において、該型枠の板面を貫通する貫通孔を複数個形成し、該貫通孔に透明な材質にて形成された透過光具を嵌合固定したことを特長とする透過光具を備えたコンクリート型枠。
【請求項２】
前記貫通孔は、前記型枠のコンクリート打設面に形成された係止凹部と、該係止凹部の底部から係止凹部より狭い範囲で前記型枠を貫通する貫通部とで構成され、前記透過光具は該貫通孔の係止凹部側から差し込み嵌合する形状に形成された請求項１記載の透過光具を備えたコンクリート型枠。
【請求項３】
前記透過光具は、透明な合成樹脂材又はガラス材にて形成された請求項１又は２記載の透過光具を備えたコンクリート型枠。
【請求項４】
前記透過光具は、平面円形状又は多角形状に形成された請求項１乃至３いずれか記載の透過光具を備えたコンクリート型枠。
【考案の詳細な説明】
【技術分野】
【０００１】
本考案は、コンクリート型枠を設置したときに、このコンクリート型枠を通して内部に光を透過させることができる透過光具を備えたコンクリート型枠に関する。
【背景技術】
【０００２】
コンクリート打設時に使用されるコンクリート型枠を施工すると、型枠下部の作業場所は昼間でも外部の光が遮られた非常に暗い作業環境となる。
【０００３】
そこで、作業環境を明るくするために、コンクリート型枠に明かり取りを設けた明かり取り付きコンクリート型枠が特許文献１に記載されている。この型枠は、合板ベニヤを張設したコンクリート型枠において、合板ベニヤの一部を除去開口し、この開口部分を透明塩ビ波板で閉塞し、更に塩ビ波板上面をエキスパンドメタルで覆ったものである。
【先行技術文献】
【特許文献】
【０００４】
【特許文献１】実開平５-５２０９８号公報
【考案の概要】
【考案が解決しようとする課題】
【０００５】
ところが、従来の明かり取り付きコンクリート型枠は、合板ベニヤの開口部分を透明塩ビ波板で閉塞し、この塩ビ波板上面をエキスパンドメタルで覆う構成では、通常の合板ベニヤ製のコンクリート型枠と比べて極めて高価な型枠になってしまう。
【０００６】
しかも、透明塩ビ波板を覆うエキスパンドメタルが型枠の上に重ねられているので、このエキスパンドメタルが一般の型枠施工の支障になる不都合もある。
【０００７】
そこで本考案は、上述の課題を解消したもので、従来の明かり取り付きコンクリート型枠と比べて極めて安価に提供することができ、しかも、一般の型枠施工の支障になる虞もなく、コンクリート型枠を通して内部に光を透過させることができる透過光具を備えたコンクリート型枠の提供を目的とするものである。
【課題を解決するための手段】
【０００８】
上述の目的を達成すべく本考案における第１の手段は、コンクリートを打設する際に使用する型枠１において、該型枠１の板面を貫通する貫通孔２を複数個形成し、該貫通孔２に透明な材質にて形成された透過光具３を嵌合固定したことにある。
【０００９】
第２の手段において、前記貫通孔２は、前記型枠１のコンクリート打設面に形成された係止凹部２Ａと、該係止凹部２Ａの底部から係止凹部２Ａより狭い範囲で前記型枠１を貫通する貫通部２Ｂとで構成され、前記透過光具３は該貫通孔２の係止凹部２Ａ側から差し込み嵌合する形状に形成された請求項１記載の透過光具を備えたものである。
【００１０】
第３の手段において、前記透過光具３は、透明な合成樹脂材又はガラス材にて形成されている。
【００１１】
第４の手段の前記透過光具３は、平面円形状又は多角形状に形成されたものである。
【考案の効果】
【００１２】
本考案の請求項１によると、コンクリートを打設する際に使用する型枠１において、該型枠１の板面を貫通する貫通孔２を複数個形成し、該貫通孔２に透明な材質にて形成された透過光具３を嵌合固定したことにより、コンクリート型枠を通して内部に光を透過させることができる。
【００１３】
しかも、透過光具３を装着した型枠１は、従来の明かり取り付きコンクリート型枠の如く、型枠の上に透明部材を覆うエキスパンドメタルが重ねられる必要がないので、一般の型枠施工の支障になる虞はなく、通常の型枠と同じ使用が可能である。また、貫通孔２に透過光具３を嵌合するだけの構成により、従来の明かり取り付きコンクリート型枠よりも極めて安価な提供ができるものである。
【００１４】
請求項２によると、前記貫通孔２は、前記型枠１のコンクリート打設面に形成された係止凹部２Ａと、該係止凹部２Ａの底部から係止凹部２Ａより狭い範囲で前記型枠１を貫通する貫通部２Ｂとで構成され、前記透過光具３は該貫通孔２の係止凹部２Ａ側から差し込み嵌合する形状に形成されているので、コンクリート打設時でも透過光具３が挟着体１から脱落する虞はない。
【００１５】
しかも、透過光具３は、貫通孔２に嵌合する形状を成しているので、透過光具３自体の強度は貫通孔２によって保護される状態になっている。この結果、透過光具３の破損を防止して安全な使用が可能になる。
【００１６】
請求項３のように、透過光具３は、透明な合成樹脂材又はガラス材にて形成されているので、従来の透明塩ビ波板を使用した明かり取り付きコンクリート型枠より、透過光具３自体の強度を高めることができる。
【００１７】
請求項４のごとく、透過光具３は、平面円形状又は多角形状に形成されることで、任意形状の透過光具３を選択することが可能になる。したがって、用途に応じた型枠１の使用が可能である。
【図面の簡単な説明】
【００１８】
【図１】本考案の一実施例を示す斜視図である。
【図２】本考案の一実施例を示す要部断面図である。
【考案を実施するための形態】
【００１９】
本考案によると、従来の明かり取り付きコンクリート型枠と比べて極めて安価に提供することができ、しかも、一般の型枠施工の支障になる虞もなく、コンクリート型枠を通して内部に光を透過させることができるコンクリート型枠を提供することに成功した。
【００２０】
以下、本考案の実施例を説明する。本考案は、躯体工事においてコンクリートを打設する際に使用する型枠１に関するものである。この型枠１は、コンクリート・パネルとも称し、主に木製合板が使用されているが、本考案において型枠１の材質は問わない。
【００２１】
この型枠１に貫通孔２を複数個形成する。この貫通孔２は、係止凹部２Ａと貫通部２Ｂとで構成されている（図１参照）。図示例では、挟着体１の板面に数十個の貫通孔２を形成しているが、貫通孔２の直径や数等は任意に変更することができる。
【００２２】
係止凹部２Ａは、型枠１のコンクリート打設面に形成されている（図２参照）。図示の係止凹部２Ａは断面略すり鉢状を成しており、底部に向けて次第に開口径が狭くなるように形成している。また、係止凹部２Ａの開口部の形状は、平面円形に形成しているが、この他、平面多角形状に形成することも可能である。
【００２３】
一方、貫通部２Ｂは、係止凹部２Ａの底部から型枠１を貫通する部分である（図２参照）。この貫通部２Ｂは、係止凹部２Ａより狭い範囲で形成されている。図示例の貫通孔２は、係止凹部２Ａから貫通部２Ｂに至るにつれて次第に窄むように形成している。
【００２４】
透過光具３は、貫通孔２の係止凹部２Ａ側から貫通部２Ｂに差し込み嵌合して固定する透明な部材である。したがって、透過光具３の外形は、貫通孔２の形状と合致する形状であり、貫通孔２から突出するものではない。すなわち、透過光具３の係止凹部２Ａ側は、型枠１の板面より突出せず、また、透過光具３の貫通部２Ｂ側も挟着体１の板面から突出していない。このように、透過光具３は、貫通孔２に嵌合する形状になっている。図示の透過光具３は、平面円形状に形成しているが、このほか、平面多角形状に形成することも可能である。
【００２５】
この透過光具３は、透明な合成樹脂材やガラス材にて形成されるもので、この透過光具３を介して型枠１に光を透過させるように構成している。透過光具３の固定手段は、接着剤を使用する外、嵌合した透過光具３が抜けないようにする係止部等の構造的な固定手段でも良い（図示せず）。また、透過光具３をダイヤモンドの如く多くのカットを加えることで、更に反射光を利用した明り取りにすることも可能である。
【００２６】
尚、本考案の各構成は図示例に限定されるものではなく、貫通孔２の形状、位置やサイズ、あるいは透過光具３の形状や材質などの変更は、本考案の要旨を変更しない範囲で任意に変更することができる。
【符号の説明】
【００２７】
１  型枠
２  貫通孔
２Ａ  係止凹部
２Ｂ  貫通部
３  透過光具
【図１】
0003179875.tif 000003
【図２】
0003179875.tif 000004